(57)【要約】【課題】「打たれても出る杭」という象徴的現象を卓上玩具として具現化する手段を構築すること。【解決手段】立体形状塊の異なる２方向から円形孔を穿孔し、穿孔した各々の孔の先端部を立体形状塊の内部で９０度から１８０度の範囲の角度を開いて突合させて構成する。異なる２方向から穿孔した円形孔の各々に円形孔の径より幾分小さい径であって、円形孔の深さより短い長さの円柱を各々差し込む。差し込んだ円柱は、各々対面する底面が、立体形状塊の内部において、運動伝達材によって結合されている。【選択図】図２
2020182817.tif 000002
【特許請求の範囲】
【請求項１】
立体形状塊の外面の異なる２方向から柱状孔を穿孔し、穿孔した各々の孔の先端部を立体形状塊の内部で９０度から１８０度の範囲の角度を開いて突合させて構成する。異なる２方向から穿孔した柱状孔の各々に柱状孔の径より幾分小さい径であって、柱状孔の深さより短い長さの円柱を各々の柱状孔に挿入する。挿入した円柱の各々対面する底面が、立体形状塊の内部において、運動伝達材によって接触し又は結合されている。挿入した複数の円柱は同時には立体形状塊の内部に納まらず、挿入した円柱の一つの全体又は一部を立体形状塊の内部に押し込むと、他の一つの挿入した円柱の一部が立体形状塊の表面より突出することを特徴とする卓上玩具及びその構成方法。
【請求項２】
請求項１の卓上玩具及びその構成方法であって、かつ、立体形状塊を、柱状孔を内包する塊を含む複数の塊に分割し、及び連結させることを特徴とする卓上玩具及びその構成方法。
【発明の詳細な説明】
【技術分野】
【０００１】
本発明は、仕事の疲れを癒し意欲を回復させる玩具に関するものである。
【背景技術】
【０００２】
仕事の疲れを癒し意欲を回復させる玩具としては、独楽や積み木など手遊びの要素を有するものがあり、近年のデジタル情報過多の事務仕事の職場では特に嗜好されることが多い。
【０００３】
しかし、従来の独楽や積み木など手遊び玩具は、気分転換や暇つぶしを目的とするだけであって、精神的なストレスの解消までは期待できない玩具が多数であった。  また、知恵の輪など、頭脳を使うことで気分転換をするような玩具もあるが、使う人の個性も多様であり、心の癒しを感じさせる大人の玩具の分野の中で、精神的なストレスを解消できる玩具が求められていた。この類の玩具は事務机の上などで使われることが多いことから、以下、「卓上玩具」という。
【０００４】
一般に、人が精神的なストレスを感じるときは他者からの抑圧を原因とすることが多い。例を挙げて説明すると、古来より「出る杭は打たれる」というわが国の諺もあるが、「出る杭は打たれる」という諺の意味は、例えば個人Ａが所属するグループＢの中で、個人ＡがグループＢの他のメンバーより優位に立とうとする形勢が生じると、他のメンバーから個人Ａに対し圧力がかかり、個人ＡがグループＢの他のメンバーより優位に立てないように人間関係的力学が作用することである。
【０００５】
「出る杭は打たれる」という精神的なストレスを感じることは個人Ａにとって苦痛であるが、比喩として言うところの「杭」を玩具として用い、逆に、「打たれても出る杭」という象徴的現象を創出することによって、個人Ａが自らを「打たれても出る杭」と感じることにより、グループＢの他のメンバーからの抑圧感を軽減することができるという蓋然性があり、「打たれても出る杭」という象徴的現象を卓上玩具として具現化する手段が模索されている。
【先行技術文献】
【特許文献】
【０００６】
【特許文献１】特開２０１６−３２６１６号公報
【０００７】
【特許文献２】実用新案登録第３１８５８５６号公報
【発明の概要】
【発明が解決しようとする課題】
【０００８】
「出る杭は打たれる」という精神的なストレスを原因とする被抑圧感を軽減するために、比喩として言うところの「杭」を玩具として用い、「打たれても出る杭」という象徴的現象を卓上玩具として具現化する手段を構築することである。
【課題を解決するための手段】
【０００９】
本発明は、「打たれても出る杭」という象徴的現象を卓上玩具として具現化する手段として、打たれる杭と出る杭が機構的に連動して運動する構造を形成せしめることを最も主要な特徴とする。
【発明の効果】
【００１０】
本発明の卓上玩具は、「出る杭は打たれる」という精神的なストレスを原因とする、人の被抑圧感を軽減するために、「打たれても出る杭」という象徴的現象を卓上玩具として具現化することにより、「出る杭は打たれる」という精神的なストレスを原因とする、人の被抑圧感を軽減するという利点がある。
【図面の簡単な説明】
【００１１】
【図１】図１は本発明の正面図である。（実施例１）
【図２】図２は本発明の斜視図である。（実施例１）
【図３】図３は本発明の実施方法を示した説明図である。（実施例１）
【図４】図４は本発明の実施方法を示した説明図である。（実施例１）
【図５】図５は本発明の実施方法を示した説明図である。（実施例１）
【図６】図６は本発明の実施方法を示した説明図である。（実施例１）
【図７】図７は本発明の実施方法を示した説明図である。（実施例４）
【図８】図８は本発明の実施方法を示した説明図である。（実施例４）
【図９】図９は本発明の実施方法を示した説明図である。（実施例４）
【発明を実施するための形態】
【００１２】
立体形状塊の外面の異なる２方向から柱状孔を穿孔し、穿孔した各々の孔の先端部を立体形状塊の内部で９０度から１８０度の範囲の角度を開いて突合させて構成する。異なる２方向から穿孔した柱状孔の各々に柱状孔の径より幾分小さい径であって、柱状孔の深さより短い長さの円柱を各々の柱状孔に挿入する。挿入した円柱の各々対面する底面が、立体形状塊の内部において、運動伝達材によって結合されている。
【実施例１】
【００１３】
図１は、本発明装置の実施例１の正面図であって、図２は図１の左側上方からの斜視図である。図４は図２に図示する円柱Ｍ（２０）及び円柱Ｎ（３０）を取り除いた説明図である。図５は図４の内部を説明する断面図である。
【００１４】
図４に示すように、本発明の躯体部（１０）の１０の上面（１０ａ）に、１０ａ面に直角となる垂直孔口（２０Ｈ）より２０を挿入する柱状孔（２１）が穿たれ、及び、躯体部（１０）の１０の側面（１０ｂ）に、１０b面に直角となる垂直孔口（３０Ｈ）より３０を挿入する柱状孔（３１）が穿たれていて、図２及び図４に示すように、２０を挿入する柱状孔（２１）に円柱Ｍ（２０）が差し込まれ、及び３０を挿入する柱状孔（３１）に円柱Ｎ（３０）が差し込まれていて、円柱Ｍ（２０）は２０を挿入する柱状孔（２１）の内壁に沿って円滑に摺動でき、円柱Ｎ（３０）は３０を挿入する柱状孔（３１）の内壁に沿って円滑に摺動できる。
【００１５】
図１において、本発明の躯体部（１０）のＸ１−Ｘ２における断面図、すなわち、図２で示す点線の境界で切断された断面図である図３で本発明装置の内部を説明する。なお、図１における本発明の躯体部（１０）は、図２における、１０を構成する部分Ａ（１１）及び、１０を構成する部分Ｂ（１３）との結合体であり、１０を構成する部分Ａ（１１）と１０を構成する部分Ｂ（１３）はＸ１−Ｘ２切断面において対称の関係にある。
【００１６】
図３は、図１における躯体部（１０）のＸ１−Ｘ２における断面図、すなわち、図２で示す点線の境界で本発明の躯体部（１０）を切断し、１０を構成する部分Ｂ（１３）を取り除いた説明図であり、図５は、図３における、円柱Ｍ（２０）及び円柱Ｎ（３０）及び運動伝達材（４０）を取り除いた説明図である。
【００１７】
図３の状態から、円柱Ｍ（２０）を押す又は叩くなどして図６で示す矢印Ａの方向に圧力をかけると、円柱Ｍ（２０）は躯体部（１０）の内部に沈み込み、２０を挿入する柱状孔（２1）の内壁に沿って摺動して、円柱Ｍ（２０）に結合された運動伝達材（４０）に圧力を伝える。運動伝達材（４０）は柔軟であるが体積は萎縮しない素材で構成されており、運動伝達材（４０）にかかった圧力は、方向転換ブロック（１２）によって圧力の方向が転換されて、円柱Ｎ（３０）に伝達される。
【００１８】
本円柱Ｎ（３０）に伝達された圧力によって、円柱Ｎ（３０）は３０を挿入する柱状孔（３１）の内壁に沿って、図６に示す矢印Ｂの方向に向かって摺動して躯体部（１０）の１０b面に直角となる垂直孔口（３０Ｈ）から突き出る。すなわち、打たれた杭である円柱Ｍ（２０）が打たれて屈するのではなく、圧力を伝達することにより、円柱Ｎ（３０）を１０b面に直角となる垂直孔口（３０Ｈ）より突出させ、  「打たれても出る杭」という象徴的現象として具現化することができる。
【実施例２】
【００１９】
実施例２は、実施例１において、２０を挿入する柱状孔（２１）と、２０を挿入する柱状孔（２１）の延長部分に設ける２１に接続する柱状孔（２２）との接続部分を、２０を挿入する柱状孔（２１）の穿孔径よりも２１に接続する柱状孔（２２）の穿孔径を小さく形成することにより段差を設け、かつ円柱Ｍ（２０）の長さと２０を挿入する柱状孔（２１）の長さとを同一にしておき円柱Ｍ（２０）の上面を１０の上面（１０ａ）より本発明の躯体部（１０）の中に沈み込ませない構成を成す例である。
【実施例３】
【００２０】
実施例３は、実施例１又は実施例２において、運動伝達材（４０）として、ゴムや樹脂又はバネ、或いは複数の連結していない固形の球体や小塊、磁石の連結又は気体嚢や液体嚢などを用いる例である。
【実施例４】
【００２１】
実施例４は、実施例１又は実施例２或いは実施例３において、本発明の躯体部（１０）を、図７及び図８に示すように、１０を構成し２１を内包するブロック（５０）と、１０を構成し２２及び３２を内包するブロック（５１）と、１０を構成し３１を内包するブロック（５２）と、１０を構成し５０、５１、及び５２以外のブロック（５３）とに一旦分割し、あらためて、分割前の位置で当該ブロックを連結させ本発明の躯体部（１０）として実施する例である。
【００２２】
前項の実施例では、例えば本発明を木材加工で実施する場合などには、材料の調達、工具の選択、及び円柱Ｍ（２０）、円柱Ｎ（３０）及び運動伝達材（４０）を本発明の躯体部（１０）の内部に組み込む工程において、作業を簡素化し、かつコストを削減することにおいて非常に効果がある。
【産業上の利用可能性】
【００２３】
本発明の卓上玩具は、「出る杭は打たれる」という精神的なストレスを原因とする、人の被抑圧感を軽減するために、「打たれても出る杭」という象徴的現象を卓上玩具として具現化することにより、「出る杭は打たれる」という精神的なストレスを原因とする、人の被抑圧感を軽減するという効果があり、現代人の心の癒し玩具として製造販売することで産業上おおいに利用可能となる。
【符号の説明】
【００２４】
１０  本発明の躯体部
１０ａ  １０の上面
１０ｂ  １０の側面
１１  １０を構成する部分Ａ
１２  方向転換ブロック
１３  １０を構成する部分Ｂ
２０  円柱Ｍ
２０Ｈ  １０ａ面に直角となる垂直孔口
２１  ２０を挿入する柱状孔
２２  ２１に接続する柱状孔
３０  円柱Ｎ
３０Ｈ  １０b面に直角となる垂直孔口
３１  ３０を挿入する柱状孔
３２  ３１に接続する柱状孔
４０  運動伝達材
５０  １０を構成し２１を内包するブロック
５１  １０を構成し２２及び３２を内包するブロック
５２  １０を構成し３１を内包するブロック
５３  １０を構成し５０、５１、及び５２以外のブロック
６０  ５０をＸ１−Ｘ２で切断して内部を示すブロック
６１  ５１をＸ１−Ｘ２で切断して内部を示すブロック
６２  ５２をＸ１−Ｘ２で切断して内部を示すブロック
６３  ５３をＸ１−Ｘ２で切断して内部を示すブロック
【図１】
2020182817.tif 000003
【図２】
2020182817.tif 000004
【図３】
2020182817.tif 000005
【図４】
2020182817.tif 000006
【図５】
2020182817.tif 000007
【図６】
2020182817.tif 000008
【図７】
2020182817.tif 000009
【図８】
2020182817.tif 000010
【図９】
2020182817.tif 000011